(57)【要約】【課題】  いくつかの放送局から緊急情報放送が行われることを一元的に検知し、緊急情報放送が行われる旨の情報を携帯通信端末装置に対して通知する。【解決手段】  緊急通報装置１は、放送局６ａ、６ｂからの放送波を受信することで、あるいは放送局６ａ、６ｂから通信網５を介する通知を受信することで緊急情報放送が行われることを検知する。緊急情報放送を検知した緊急通報装置１は、通信網５、移動通信網４、基地局装置３を介して、予め登録されている携帯通信端末装置２に対して所定の放送局から緊急情報放送が行われる旨の情報を送信する。この情報を受信した携帯通信端末装置２は、携帯通信端末装置２内の放送受信機によって所定の放送局からの放送波を受信するように受信機を起動し、スピーカや表示器を動作させ、ユーザに対して所定の放送局から送信されている緊急情報放送を視聴できるようにする。【選択図】  図１
2006054702.tif 000002
【特許請求の範囲】
【請求項１】
緊急通報装置が携帯通信端末装置に緊急情報放送の通知を行う緊急情報提供システムであって、
前記緊急通報装置は、
放送局から緊急情報が放送されることを検知する検知部と、
緊急情報放送時の通知先を予め記憶する記憶部と、
前記検知部が前記緊急情報の放送を検知した際に、前記記憶部に記憶されている前記通知先である携帯通信端末装置に対して緊急情報放送の通知を通信網を介して送信するように送信部を制御する制御部と、
を備え、
前記携帯通信端末装置は、
前記緊急通報装置から前記緊急情報放送の通知を受信する通信受信部と、
前記通信受信部が前記通知を受信することによって起動され、前記放送局から放送される前記緊急情報を受信する放送受信部と、
前記放送受信部で受信される前記緊急情報を視聴するための表示部と、
を備えることを特徴とする緊急情報提供システム。
【請求項２】
前記検知部は、前記放送局から緊急情報が放送される際の放送波を特定する信号を受信することを特徴とする請求項１に記載の緊急情報提供システム。
【請求項３】
前記検知部は、前記放送局から緊急情報が放送される旨の通知を通信網を介して受信することを特徴とする請求項１に記載の緊急情報提供システム。
【請求項４】
前記緊急情報放送の通知には、前記緊急情報を放送する放送局情報が含まれ、前記放送受信部は、前記放送局情報に基づいて前記放送局を選局することを特徴とする請求項１に記載の緊急情報提供システム。
【請求項５】
放送局から緊急情報が放送されることを検知する検知部と、
緊急情報放送時の通知先を予め記憶する記憶部と、
前記通知先である携帯通信端末装置に対して緊急情報放送の通知を送信する送信部と、
前記検知部が前記緊急情報の放送を検知した際に、前記記憶部に記憶されている前記通知先を読出し、前記通知先である携帯通信端末装置に対して緊急情報放送の通知を送信するように前記送信部を制御する制御部と、
を備えることを特徴とする緊急通報装置。
【請求項６】
前記検知部は、前記放送局から緊急情報が放送される際の放送波を特定する信号を受信することを特徴とする請求項５に記載の緊急通報装置。
【請求項７】
前記検知部は、前記放送局から緊急情報が放送される旨の通知を通信網を介して受信することを特徴とする請求項５に記載の緊急通報装置。
【請求項８】
前記検知部が前記緊急情報の放送を検知する際に、前記緊急情報を放送する放送局情報を取得し、前記緊急情報放送の通知に取得した前記放送局情報を含むことを特徴とする請求項５に記載の緊急通報装置。
【請求項９】
緊急通報装置から緊急情報放送の通知を受信する通信受信部と、
前記通信受信部が前記通知を受信することによって起動され、放送局から放送される前記緊急情報を受信する放送受信部と、
前記放送受信部で受信される前記緊急情報を視聴するための表示部と、
を備えることを特徴とする携帯通信端末装置。
【請求項１０】
前記緊急情報放送の通知には、前記緊急情報を放送する放送局情報が含まれ、前記放送受信部は、前記放送局情報に基づいて前記放送局を選局することを特徴とする請求項９に記載の携帯通信端末装置。
【請求項１１】
緊急通報装置が携帯通信端末装置に緊急情報放送の通知を行う緊急情報提供方法であって、
前記緊急通報装置が放送局から緊急情報が放送されることを検知するステップと、
前記緊急情報の放送を検知した際に、予め記憶されている通知先である携帯通信端末装置に対して緊急情報放送の通知を通信網を介して送信するステップと、
前記携帯通信端末装置が前記緊急通報装置から前記緊急情報放送の通知を受信するステップと、
前記通知を受信することによって放送受信部を起動するステップと、
前記放送局から放送される前記緊急情報を前記放送受信部で受信するステップと、
受信される前記緊急情報を視聴するために表示するステップと、
を含むことを特徴とする緊急情報提供方法。
【請求項１２】
前記緊急情報が放送されることを検知するステップにおいて、前記放送局から緊急情報が放送される際の放送波を特定する信号を受信することを特徴とする請求項１１に記載の緊急情報提供方法。
【請求項１３】
前記緊急情報が放送されることを検知するステップにおいて、前記放送局から緊急情報が放送される旨の通知を通信網を介して受信することを特徴とする請求項１１に記載の緊急情報提供方法。
【請求項１４】
前記緊急情報放送の通知には、前記緊急情報を放送する放送局情報が含まれ、前記放送受信部は、前記放送局情報に基づいて前記放送局を選局することを特徴とする請求項１１に記載の緊急情報提供方法。
【発明の詳細な説明】
【技術分野】
【０００１】
本発明は、緊急情報提供システムおよび方法ならびに携帯通信端末装置に係り、特に緊急情報が放送される旨を携帯通信端末装置に知らせるシステムと、その方法、および緊急情報の放送を受信する携帯通信端末装置に係る。
【背景技術】
【０００２】
緊急災害発生等を放送によって知らせることは、広範囲に通知可能なこと、迅速性があること、多くの人がテレビやラジオの放送受信機を所有していること等から広く行われている。しかし、常に放送受信機を稼動状態にしておくことは現実的ではない。
【０００３】
そこで、このような緊急時における緊急放送を自動受信するとともに、非常災害時の安否情報を速やかに取得し、緊急情報として提供することを可能にする緊急情報放送装置及び緊急情報視聴端末が特許文献１に開示されている。この緊急情報視聴端末は、放送波を介して放送データを受信する機能と、通信回線を介して通信データを送受信する機能とを備えており、放送事業者の放送装置が視聴端末に対して、緊急情報を放送するものである。すなわち、放送装置が緊急情報を放送する旨を示す緊急情報通知を、視聴端末に通信データとして通知し、この緊急情報通知に基づいて、視聴端末が緊急情報の放送を受信する。
【０００４】
【特許文献１】特開２００３−３４８０３４号公報  （図１）
【発明の開示】
【発明が解決しようとする課題】
【０００５】
特許文献１に開示されている放送装置は、緊急情報を放送する旨を示す緊急情報通知を、視聴端末に通信データとして通知するものであり、放送装置は、放送事業者が管理所有するものである。しかしながら、通常、緊急情報の放送は、単一の放送業者によってのみ行われるものではなく、複数の放送業者によって行われると考えるのが自然である。さらに、特定の地域に限定された災害情報等は、自治体等の依頼で地域の放送業者によって行われることも多い。
【０００６】
このような場合に、単一の放送事業者が緊急情報の通知を行うことでは、ユーザに十分有効な情報提供が行われるとは限らない。むしろ、所定の緊急通報装置が複数の放送業者から緊急情報放送の通知を一元的に受けて、緊急情報放送が行われる旨の情報をユーザの端末に対して提供することが望ましい。また、特に地域の小規模の放送事業者等にとって、稀にしか起こらない緊急情報放送を受信するユーザ端末の管理業務を自ら行うことは、設備投資や管理面等における投資を強いられ、得策でないことも多い。
【０００７】
ところで、ラジオやテレビの放送受信機能を有する携帯電話端末装置において、ユーザは、普段、携帯電話端末を鞄や着衣のポケットなどに納めて携帯したり、ユーザの手の届く身の回りに置いており、必要に応じて携帯電話機能や放送受信機能を使用している。しかし、緊急災害発生時において、災害情報を早急に入手したいという要求、及びユーザにとって緊急性の高い情報などの放送を視聴したいという要求に対しては、全く視聴できなかったり、緊急性を満たせない可能性がある。すなわち、ユーザの置かれている環境によって、ユーザ自身が緊急災害や早急に入手する必要がある情報が発生したという事象を感知できないことがある。このような場合、ユーザは、緊急の情報をタイムリーに視聴できない等の問題が発生し、情報の内容によってはユーザにとって大きな不利益が発生したり、緊急災害の場合は人命に関わる問題となる可能性もある。
【０００８】
したがって、本発明の目的は、いくつかの放送局から緊急情報放送が行われることを一元的に検知し、緊急情報放送が行われる旨の情報を携帯通信端末装置に対して通知する緊急情報提供システムおよび方法ならびに携帯通信端末装置を提供することにある。
【課題を解決するための手段】
【０００９】
前記目的を達成する本発明の第１のアスペクトに係る緊急情報提供システムは、緊急通報装置が携帯通信端末装置に緊急情報放送の通知を行う緊急情報提供システムである。緊急通報装置は、放送局から緊急情報が放送されることを検知する検知部と、緊急情報放送時の通知先を予め記憶する記憶部と、検知部が緊急情報の放送を検知した際に、記憶部に記憶されている通知先である携帯通信端末装置に対して緊急情報放送の通知を通信網を介して送信するように送信部を制御する制御部と、を備える。また、携帯通信端末装置は、緊急通報装置から緊急情報放送の通知を受信する通信受信部と、通信受信部が通知を受信することによって起動され、放送局から放送される緊急情報を受信する放送受信部と、放送受信部で受信される緊急情報を視聴するための表示部と、を備える。
【００１０】
第１の展開形態の緊急情報提供システムにおいて、検知部は、放送局から緊急情報が放送される際の放送波を特定する信号を受信することが好ましい。
【００１１】
第２の展開形態の緊急情報提供システムにおいて、検知部は、放送局から緊急情報が放送される旨の通知を通信網を介して受信することが好ましい。
【００１２】
第３の展開形態の緊急情報提供システムにおいて、緊急情報放送の通知には、緊急情報を放送する放送局情報が含まれ、放送受信部は、放送局情報に基づいて放送局を選局することが好ましい。
【００１３】
本発明の第２のアスペクトに係る緊急通報装置は、放送局から緊急情報が放送されることを検知する検知部と、緊急情報放送時の通知先を予め記憶する記憶部と、通知先である携帯通信端末装置に対して緊急情報放送の通知を送信する送信部と、検知部が緊急情報の放送を検知した際に、記憶部に記憶されている通知先を読出し、通知先である携帯通信端末装置に対して緊急情報放送の通知を送信するように送信部を制御する制御部と、を備える。
【００１４】
第１の展開形態の緊急通報装置において、検知部は、放送局から緊急情報が放送される際の放送波を特定する信号を受信することが好ましい。
【００１５】
第２の展開形態の緊急通報装置において、検知部は、放送局から緊急情報が放送される旨の通知を通信網を介して受信することが好ましい。
【００１６】
第３の展開形態の緊急通報装置において、検知部が緊急情報の放送を検知する際に、緊急情報を放送する放送局情報を取得し、緊急情報放送の通知に取得した放送局情報を含むようにしてもよい。
【００１７】
本発明の第３のアスペクトに係る携帯通信端末装置は、緊急通報装置から緊急情報放送の通知を受信する通信受信部と、通信受信部が通知を受信することによって起動され、放送局から放送される緊急情報を受信する放送受信部と、放送受信部で受信される緊急情報を視聴するための表示部と、を備える。
【００１８】
第１の展開形態の携帯通信端末装置において、緊急情報放送の通知には、緊急情報を放送する放送局情報が含まれ、放送受信部は、放送局情報に基づいて放送局を選局することが好ましい。
【００１９】
本発明の第４のアスペクトに係る緊急情報提供方法は、緊急通報装置が携帯通信端末装置に緊急情報放送の通知を行う方法である。この方法は、緊急通報装置が放送局から緊急情報が放送されることを検知するステップと、緊急情報の放送を検知した際に、予め記憶されている通知先である携帯通信端末装置に対して緊急情報放送の通知を通信網を介して送信するステップと、を含む。また、携帯通信端末装置が緊急通報装置から緊急情報放送の通知を受信するステップと、通知を受信することによって放送受信部を起動するステップと、放送局から放送される緊急情報を放送受信部で受信するステップと、受信される緊急情報を視聴するために表示するステップと、を含む。
【００２０】
第１の展開形態の緊急情報提供方法において、緊急情報が放送されることを検知するステップにおいて、放送局から緊急情報が放送される際の放送波を特定する信号を受信するようにしてもよい。
【００２１】
第２の展開形態の緊急情報提供方法において、緊急情報が放送されることを検知するステップにおいて、放送局から緊急情報が放送される旨の通知を通信網を介して受信するようにしてもよい。
【００２２】
第３の展開形態の緊急情報提供方法において、緊急情報放送の通知には、緊急情報を放送する放送局情報が含まれ、放送受信部は、放送局情報に基づいて放送局を選局するようにしてもよい。
【発明の効果】
【００２３】
本発明によれば、いくつかの放送局から緊急情報放送が行われることを一元的に検知して緊急情報放送が行われる旨の情報を携帯通信端末装置に対して通知し、ユーザが操作することなく自動で携帯通信端末装置の放送受信機能が動作して放送を視聴できる。したがって、緊急情報を入手するのが容易となり、緊急情報を入手し忘れたり、緊急性を損なう可能性を小さくすることができる。
【発明を実施するための最良の形態】
【００２４】
図１は、本発明の実施形態に係る緊急情報提供システムの全体構成を表すブロック図である。緊急情報提供システムは、緊急通報装置１、携帯通信端末装置２、放送局６ａ、６ｂから主に構成される。緊急通報装置１は、放送局６ａ、６ｂからの放送波を受信することで、あるいは放送局６ａ、６ｂから通信網５を介する通知を受信することで緊急情報放送が行われることを検知する。緊急情報放送を検知した緊急通報装置１は、通信網５、移動通信網４、基地局装置３を介して、予め登録されている携帯通信端末装置２に対して所定の放送局から緊急情報放送が行われる旨の情報を送信する。この情報を受信した携帯通信端末装置２は、携帯通信端末装置２内の放送受信機能によって所定の放送局からの放送波を受信するように受信機を起動し、スピーカや表示器を動作させ、ユーザに対して所定の放送局から送信されている緊急情報放送を視聴できるようにする。
【実施例１】
【００２５】
以下、本発明の実施例について図面を用いて説明する。図２は、本発明の実施例に係る緊急通報装置の構成を示すブロック図である。緊急通報装置１は、ラジオ放送若しくはテレビ放送を放送する放送局６ａ、６ｂから送出される放送波を受信するアンテナ１１、アンテナ１１で受信した電波から放送信号を取り出すチューナに相当する放送受信部１２、放送信号中に緊急情報放送を行う旨を示す特定信号が送られているか否かを検知する特定信号検知部１３、インターネット網や一般固定電話などの通信網５を介して通信を行う通信部１４、緊急情報放送時の通知先を予め記憶する記憶部１５、特定信号検知部１３あるいは通信部１４が緊急情報の放送を検知した際に、記憶部１５に記憶されている通知先である携帯通信端末装置に対して緊急情報放送の通知を通信部１４から通信網５、移動通信網４、基地局装置３を介して送信するように制御する制御部１６を備える。
【００２６】
次に、緊急情報放送が行われる旨の通知がある場合の制御部１６における動作について説明する。図３は、本発明の実施例に係る緊急通報装置の動作を示すフローチャートである。
【００２７】
ステップＳ１１において、緊急情報放送が行われる旨の検知を行う。放送局６ａ、あるいは放送局６ｂが緊急情報を放送する際には、放送波信号中に緊急情報放送を行う旨を示す特定信号を挿入する。この特定信号は、コード化された特定のパターン信号等であり、通常の放送では送出されることの無い特別の信号である。制御部１６は、特定信号検知部１３において、緊急情報放送を行う旨を検知する。あるいは、放送局６ａ、あるいは放送局６ｂが緊急放送を行う際に、放送局６ａ、あるいは放送局６ｂから通信網５を介して緊急通報装置１に対して緊急情報放送を行う旨を示す発信がなされる。通信部１４において放送局からの通信に対し着信を受け付けると、制御部１６は、緊急情報放送を行う旨を検知する。なお、緊急情報放送を行う旨を検知する際に、制御部１６は、どの放送局が緊急情報放送を行うかを識別して放送局の選択情報を得る。
【００２８】
緊急情報放送を行う旨を検知したならばステップＳ１２において、記憶部１５に記憶されている通知先を読み出す。
【００２９】
ステップＳ１３において、読み出された通知先である携帯通信端末装置２に対して緊急情報放送の通知を発信する。発信は、緊急情報放送が行われる旨を表す情報を含み、この情報には放送局の選択情報が含まれるものとする。さらに、同時に緊急情報の詳しい内容を紹介するホームページ等のアドレス情報を含むようにしてもよい。
【００３０】
ステップＳ１４において、読み出された通知先が複数ある場合には全てが終了するまで順次、ステップＳ１３における発信を繰り返す。
【００３１】
緊急通報装置１は、以上のように動作し、放送局から緊急情報が放送されることを検知し、予め記憶されている通知先である携帯通信端末装置２に対して緊急情報放送の通知を通信網５、移動通信網４、基地局装置３を介して送信する。すなわち、緊急通報装置１は、放送局から緊急情報放送が行われることを一元的に検知して、緊急情報放送が行われる旨の情報を予め登録されている携帯通信端末装置２に対して通知する。
【００３２】
次に、携帯通信端末装置２について説明する。図４は、本発明の実施例に係る携帯通信端末装置の構成を示すブロック図である。携帯通信端末装置２は、移動体通信のためのアンテナ２１、無線部２２、通信信号の信号処理部２３、制御部２４、放送受信用のアンテナ２５、チューナ２６、放送信号の信号処理部２７、記憶部２８、スピーカ２９、マイク３０、操作部３１、表示部３２を備える。
【００３３】
アンテナ２１は、基地局装置３に対して移動体通信のための電波の送受を行う。無線部２２は、アンテナ２１と接続し、移動通信システムの無線通信方式に応じた無線信号の送受信を行う。通信信号処理部２３は、無線部２２で送受信されるデジタル信号の変復調処理を実行し、制御信号、通話信号、データ通信信号の分離合成を行い、制御部２４との間で入出力を行う。
【００３４】
一方、アンテナ２５は、テレビやラジオの放送電波を受信し、制御部２４から制御されるチューナ２６によって受信した電波の放送局を選局する。放送信号処理部２７は、選局された放送の信号を音声信号または／および映像信号に分離し、制御部２４に入力する。
【００３５】
スピーカ２９は、放送信号処理部２７で処理されたテレビあるいはラジオ放送の音声を制御部２４を介して出力する。また、通信信号処理部２３で受信処理された通話音声を制御部２４を介して出力する。さらに、通信信号処理部２３で着信処理を行った際の着信音の出力を行ってもよい。マイク３０から入力された音声は、制御部２４を介して通信信号処理部２３に送られる。操作部３１は、電源のオンオフキー、音声通信時のダイヤル番号を入力するテンキー、音声着信通話開始・終話キー、データ通信時の入力キー等の携帯通信端末装置２を操作するためのキー入力部である。表示部３２は、サービス圏外・圏内表示、受信電界レベル、日付、時刻、操作上のメッセージ等の情報を表示する。また、表示部３２は、放送信号処理部２７で処理されたテレビ放送の映像を表示する。記憶部２８は、制御部２４で実行されるプログラムやデータを記憶し、制御部２４は、プログラムに従い各部の制御を行う。
【００３６】
次に、緊急情報放送が行われる旨の通知がある場合の制御部２４の動作について説明する。図５は、本発明の実施例に係る携帯通信端末装置の動作を示すフローチャートであり、緊急情報の放送時の処理に関する部分のみの動作を示す。
【００３７】
ステップＳ２１において、緊急情報放送が行われる旨の通知を表す着信を待つ。着信は、緊急通報装置１からの所定の情報を含むものであって、放送局の選択情報が含まれるものとする。
【００３８】
緊急情報放送が行われる旨の通知があったならば、ステップＳ２２において、着信の表示を行う。この場合、スピーカ２９より特定の着信音を鳴動するようにしてもよい。また、不図示の発光部など点滅させてもよい。
【００３９】
ステップＳ２３において、制御部２４は、着信情報に含まれる放送局の選択情報を基にチューナ２６を起動し、放送局を選局する。この場合、チューナ２６、放送信号処理部２７の電源がオフになっていたり、休止されている時には、電源をオンし、あるいは機能の自動立ち上げを行うようにしてもよい。
【００４０】
ステップＳ２４において、緊急情報放送を受信し、ステップＳ２５において、緊急情報放送の内容をスピーカ２９または／および表示部３２に提示し、ユーザは、これを視聴する。さらに、緊急情報の詳しい内容を紹介するホームページのアドレス情報が着信情報に含まれる場合には、この情報を元にホームページにアクセスするようにしてもよい。
【００４１】
携帯通信端末装置２は、以上のように動作し、緊急通報装置１から緊急情報放送の通知を受信し、チューナ２６、放送信号処理部２７を起動させて放送局から放送される緊急情報を受信し、受信した緊急情報を視聴するため表示部３２に表示する。したがって、緊急情報の放送がある場合に、ユーザが特に意識する必要がなく、どの放送局で放送があるか否かをシステムが判定し、ユーザが操作することなく自動で携帯通信端末装置２の放送受信機能が動作して放送を視聴することができる。これにより、ユーザは、タイムリーに緊急情報を入手することができ、入手し忘れたり、緊急性を損なう可能性を小さくすることができる。
【図面の簡単な説明】
【００４２】
【図１】本発明の実施形態に係る緊急情報提供システムの全体構成を表すブロック図である。
【図２】本発明の実施例に係る緊急通報装置の構成を示すブロック図である。
【図３】本発明の実施例に係る緊急通報装置の動作を示すフローチャートである。
【図４】本発明の実施例に係る携帯通信端末装置の構成を示すブロック図である。
【図５】本発明の実施例に係る携帯通信端末装置の動作を示すフローチャートである。
【符号の説明】
【００４３】
１  緊急通報装置
２  携帯通信端末装置
３  基地局装置
４  移動通信網
５  通信網
６ａ、６ｂ  放送局
１１、２１、２５  アンテナ
１２  放送受信部
１３  特定信号検知部
１４  通信部
１５、２８  記憶部
１６、２４  制御部
２２  無線部
２３  通信信号処理部
２６  チューナ
２７  放送信号処理部
２９  スピーカ
３０  マイク
３１  操作部
３２  表示部
【図１】
2006054702.tif 000003
【図２】
2006054702.tif 000004
【図３】
2006054702.tif 000005
【図４】
2006054702.tif 000006
【図５】
2006054702.tif 000007